(57)【特許請求の範囲】
【請求項１】
床面に立設される複数の天板支持立脚と、
立設された複数の前記天板支持立脚で支持されている少なくとも一枚のデスク天板部材と、
前記デスク天板部材の外周縁部の下方に離反した位置で複数の前記天板支持立脚の上端近傍を連結している立脚連結部材と、
前記デスク天板部材の天板部材下面と前記立脚連結部材の連結部材上面との間隙に嵌合するクランプスペーサ部材を有し、前記立脚連結部材の連結部材下面および前記デスク天板部材の天板部材上面を圧接する機器装着クランプと、
を有するデスクシステム。
【請求項２】
前記クランプスペーサ部材は、前記クランプ上板部分が前記デスク天板部材の天板部材上面に配置されるとともに、前記クランプ下板部分が前記立脚連結部材の連結部材下面より下方に位置した状態で、前記デスク天板部材の天板部材下面と前記立脚連結部材の連結部材上面との間隙に出没自在に支持されている、請求項１に記載のデスクシステム。
【請求項３】
前記機器装着クランプは、
前記クランプ上板部分と前記クランプ下板部分とを連結しているクランプ側板部分も有しており、
前記クランプスペーサ部材が前記クランプ側板部分にスライド自在に支持されている、請求項２に記載のデスクシステム。
【請求項４】
前記機器装着クランプは、
前記クランプ上板部分にデスク周辺機器が装着されるクランプアーム部材が立設されている、請求項１ないし３の何れか一項に記載のデスクシステム。
【請求項５】
複数の前記天板支持立脚が左右方向に離反されて配置され、
複数の前記天板支持立脚の中央近傍が前後方向に離反した少なくとも二本の前記立脚連結部材で連結され、
連結された複数の前記天板支持立脚で前後方向に離反した少なくとも二枚の前記デスク天板部材が支持され、
前後方向に離反されて支持された少なくとも二枚の前記デスク天板部材の間隙に前記機器装着クランプが配置される、
請求項１ないし４の何れか一項に記載のデスクシステム。
【請求項６】
請求項１ないし５の何れか一項に記載のデスクシステムの機器装着クランプであって、
前記デスク天板部材の天板部材下面と前記立脚連結部材の連結部材上面との間隙に嵌合するクランプスペーサ部材を有し、
前記立脚連結部材の連結部材下面および前記デスク天板部材の天板部材上面を圧接するものであって、
前記デスクシステムの前記デスク天板部材の天板部材下面と前記立脚連結部材の連結部材上面との間隙は前記クランプスペーサ部材が嵌合する大きさに形成されている、
機器装着クランプ。
【発明の詳細な説明】
【技術分野】
【０００１】
本発明は、デスク天板部材に機器装着クランプが装着されるデスクシステム、その機器装着クランプ、に関する。
【背景技術】
【０００２】
現在、天板支持立脚と立脚連結部材とデスク天板部材とで組み立てられたデスクシステムがある。このようなデスクシステムでは、例えば、天板支持立脚は、床面に立設される形状に形成されており、複数が左右方向に離反されて配列される。
【０００３】
立脚連結部材は、左右方向に細長形状に形成されており、左右方向に離反されて配列された複数の天板支持立脚を連結する。デスク天板部材は、上面が水平な平板状に形成されており、連結された複数の天板支持立脚で支持される。
【０００４】
このようなデスクシステムでは、例えば、天板支持立脚と立脚連結部材とデスク天板部材とを増設することにより、左右方向に長大に形成することができる。また、前後方向に離反させた一対のデスク天板部材を天板支持部材で支持することにより、デスクシステムの前後方向の中央に、左右方向に連通する間隙を確保することもできる（例えば、特許文献１〜３参照）。
【０００５】
特許文献１〜３のデスクシステムでは、左右方向に連通する間隙を前後方向の中央に確保することができる。このため、例えば、通常はデスク天板部材の外周縁部に設置されるデスクランプなどのデスク周辺機器を、前後方向に離反した一対のデスク天板部材の間隙に設置することができる。
【０００６】
さらに、このように設置したデスク周辺機器の配線を支持する配線支持トレーなどのオプション部品を、間隙の内部に設置することも想定できる。ただし、このように間隙の内部にオプション部品を設置するためには、そのオプション部品を装着する部品が必要である。
【０００７】
一方、特許文献１〜３のデスクシステムでは、デスク天板部材の前後に位置する利用者の脚部と干渉させないため、複数の天板支持立脚を連結する立脚連結部材を、デスクシステムの前後方向の中央部分に位置させることが一般的である。
【０００８】
その場合、前述のように一対のデスク天板部材を前後方向に離反させて間隙を確保する構造では、その間隙の両側に位置するデスク天板部材の縁部下に、前後一対の立脚連結部材を配置させることになる。
【先行技術文献】
【特許文献】
【０００９】
【特許文献１】特開２００５−１０２７３８号公報
【特許文献２】特開２００５−０４０４４３号公報
【特許文献３】特開２００８−２７９２１２号公報
【発明の概要】
【発明が解決しようとする課題】
【００１０】
しかし、このようにデスク天板部材の縁部下面に立脚連結部材の上面が密着していると、配線支持トレーなどのオプション部品を装着することができない。例えば、特許文献１に記載のデスクシステムでは、デスク天板部材の縁部下面と立脚連結部材の上面とが離反している。
【００１１】
このため、デスク天板部材の縁部下方に位置する立脚連結部材に、オプション部品などを懸架させることができる。しかし、このような構造のデスクシステムで、デスク周辺機器を機器装着クランプで装着しようとすると、機器装着クランプが立脚連結部材に干渉して装着できないことがある。
【００１２】
これを解決するためには、機器装着クランプがデスク天板部材を上下から圧接して保持する構造ではなく、デスク天板部材の上面と立脚連結部材の下面とを圧接して保持する構造とすることが想定できる。
【００１３】
しかし、これでは機器装着クランプの圧力によりデスク天板部材と立脚連結部材とが湾曲し、機器装着クランプを良好に装着することができない。特に、重量があるデスク周辺機器を、機器装着クランプでデスクシステムに装着することは困難である。
【００１４】
本発明は上述のような課題に鑑みてなされたものであり、前後方向に離反した一対のデスク天板部材を複数の天板支持立脚で支持し、その中央部分を立脚連結部材で連結する構造としても、機器装着クランプを良好に装着することができるデスクシステム、その機器装着クランプ、を提供するものである。
【課題を解決するための手段】
【００１５】
本発明のデスクシステムは、床面に立設される複数の天板支持立脚と、立設された複数の上記天板支持立脚で支持されている少なくとも一枚のデスク天板部材と、上記デスク天板部材の外周縁部の下方に離反した位置で複数の上記天板支持立脚の上端近傍を連結している立脚連結部材と、上記デスク天板部材の天板部材下面と上記立脚連結部材の連結部材上面との間隙に嵌合するクランプスペーサ部材を有し、上記立脚連結部材の連結部材下面および上記デスク天板部材の天板部材上面を圧接する機器装着クランプと、を有する。
【００１６】
従って、このデスクシステムでは、機器装着クランプがデスク天板部材の天板部材上面と立脚連結部材の連結部材下面とを圧接することで装着される。このため、立脚連結部材が邪魔となって機器装着クランプをデスク天板部材に装着できないことがない。このように上下から圧接されるデスク天板部材と立脚連結部材とは離反しているが、その間隙にクランプスペーサ部材が嵌合する。このため、デスク天板部材や立脚連結部材の湾曲などにより機器装着クランプの装着が阻害されることを防止できる。
【００１７】
上述のようなデスクシステムにおいて、さらに本発明では、上記クランプスペーサ部材は、上記クランプ上板部分が上記デスク天板部材の天板部材上面に配置されるとともに、上記クランプ下板部分が上記立脚連結部材の連結部材下面より下方に位置した状態で、上記デスク天板部材の天板部材下面と上記立脚連結部材の連結部材上面との間隙に出没自在に支持されている。
【００１８】
従って、このデスクシステムでは、クランプ上板部分を天板部材上面より上方に配置するとともに、クランプ下板部分を連結部材下面より下方に配置した状態で、デスク天板部材と立脚連結部材との間隙にクランプスペーサ部材が出没する。このため、機器装着クランプをデスクシステムの所定位置に配置した状態で、別体のクランプスペーサ部材をデスク天板部材と立脚連結部材との間隙に挿入する必要がない。
【００１９】
上述のようなデスクシステムにおいて、さらに本発明では、上記機器装着クランプは、上記クランプ上板部分と上記クランプ下板部分とを連結しているクランプ側板部分も有しており、上記クランプスペーサ部材が上記クランプ側板部分にスライド自在に支持されている。
【００２０】
従って、このデスクシステムでは、クランプ上板部分とクランプ下板部分とを連結しているクランプ側板部分にクランプスペーサ部材がスライド自在に支持されているので、クランプ上板部分を天板部材上面より上方に配置するとともに、クランプ下板部分を連結部材下面より下方に配置した状態で、クランプ側板部分に支持されているクランプスペーサ部材をスライドさせればデスク天板部材と立脚連結部材との間隙に挿入される。
【００２１】
上述のようなデスクシステムにおいて、さらに本発明では、上記機器装着クランプは、上記クランプ上板部分にデスク周辺機器が装着されるクランプアーム部材が立設されている。従って、このデスクシステムでは、機器装着クランプに立設されているクランプアーム部材にデスク周辺機器が装着される。このため、デスク周辺機器が機器装着クランプで装着される。
【００２２】
上述のようなデスクシステムにおいて、さらに本発明では、複数の上記天板支持立脚が左右方向に離反されて配置され、複数の上記天板支持立脚の中央近傍が前後方向に離反した少なくとも二本の上記立脚連結部材で連結され、連結された複数の上記天板支持立脚で前後方向に離反した少なくとも二枚の上記デスク天板部材が支持され、前後方向に離反されて支持された少なくとも二枚の上記デスク天板部材の間隙に上記機器装着クランプが配置される。
【００２３】
従って、このデスクシステムでは、前後方向に離反されて支持された少なくとも二枚のデスク天板部材の間隙に機器装着クランプが配置される。このため、複数のデスク天板部材からなるデスクシステム天板の中央などにデスク周辺機器が設置される。
【００２４】
本発明の機器装着クランプは、本発明のデスクシステムの機器装着クランプであって、上記デスク天板部材の天板部材下面と上記立脚連結部材の連結部材上面との間隙に嵌合するクランプスペーサ部材を有し、上記立脚連結部材の連結部材下面および上記デスク天板部材の天板部材上面を圧接するものであって、上記デスクシステムの上記デスク天板部材の天板部材下面と上記立脚連結部材の連結部材上面との間隙は上記クランプスペーサ部材が嵌合する大きさに形成されている。
【００２５】
従って、この機器装着クランプは、デスク天板部材の天板部材上面と立脚連結部材の連結部材下面とを圧接することで装着される。このため、立脚連結部材が邪魔となってデスク天板部材に装着できないことがない。このように上下から圧接されるデスク天板部材と立脚連結部材とは離反しているが、その間隙にクランプスペーサ部材が嵌合する。このため、デスク天板部材や立脚連結部材の湾曲などにより装着が阻害されることを防止できる。
【００２６】
なお、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００２７】
さらに、本発明では鉛直方向となる上下方向だけでなく水平方向で直交する前後方向と左右方向も規定しているが、これは本発明の構成要素の相対関係を簡単に説明するために便宜的に規定したものであり、本発明を実施する場合の製造時や使用時の方向を限定するものではない。
【００２８】
ただし、本発明で云う前後左右上下の方向とは、完全に幾何学的に直交している必要はなく、相対的に前後左右上下となる方向となっていればよく、例えば、各方向が任意の方向に傾斜していてもよい。
【発明の効果】
【００２９】
本発明のデスクシステムでは、機器装着クランプがデスク天板部材の天板部材上面と立脚連結部材の連結部材下面とを圧接することで装着される。このため、立脚連結部材が邪魔となって機器装着クランプをデスク天板部材に装着できないことがない。このように上下から圧接されるデスク天板部材と立脚連結部材とは離反しているが、その間隙にクランプスペーサ部材が嵌合する。このため、デスク天板部材や立脚連結部材の湾曲などにより機器装着クランプの装着が阻害されることを防止できる。従って、デスク天板部材の下方に立脚連結部材が離反している構造でも機器装着クランプを良好に装着することができ、例えば、重量のあるデスク周辺機器をデスクシステムに機器装着クランプで確実に装着することができる。
【図面の簡単な説明】
【００３０】
【図１】本発明の実施の一形態のデスクシステムでシステムデスク本体に機器装着クランプを装着した状態を示す縦断側面図である。
【図２】本発明の実施の一形態のデスクシステムでシステムデスク本体に機器装着クランプを装着する以前の状態を示す縦断側面図である。
【図３】本発明の実施の一形態のデスクシステムでシステムデスク本体に機器装着クランプを装着する第一段階の状態を示す縦断側面図である。
【図４】本発明の実施の一形態のデスクシステムでシステムデスク本体に機器装着クランプを装着する第二段階の状態を示す縦断側面図である。
【図５】本発明の実施の一形態のデスクシステムの機器装着クランプの外観を示す斜視図である。
【図６】本発明の実施の一形態のデスクシステムの機器装着クランプの外観を示す斜視図である。
【図７】本発明の実施の一形態のデスクシステムでシステムデスク本体に機器装着クランプを装着する第一段階の状態を示す斜視図である。
【図８】本発明の実施の一形態のデスクシステムでシステムデスク本体に機器装着クランプを装着する第二段階の状態を示す斜視図である。
【図９】本発明の実施の一形態のデスクシステムのシステムデスク本体を組み立てる第一段階の状態を示す分解斜視図である。
【図１０】本発明の実施の一形態のデスクシステムのシステムデスク本体を組み立てる第二段階の状態を示す分解斜視図である。
【図１１】本発明の実施の一形態のデスクシステムのシステムデスク本体を組み立てる第三段階の状態を示す分解斜視図である。
【図１２】本発明の実施の一形態のデスクシステムの完成したシステムデスク本体に機器装着クランプを装着する状態を示す分解斜視図である。
【図１３】本発明の実施の一形態のデスクシステムの一変形例のシステムデスク本体に機器装着クランプを装着する状態を示す分解斜視図である。
【発明を実施するための形態】
【００３１】
本発明の実施の一形態に関して図面を参照して以下に説明する。なお、本実施の形態では図示するように上下以外に前後左右の方向も規定して説明する。しかし、これは構成要素の相対関係を簡単に説明するために便宜的に規定するものである。従って、本発明を実施する製品の製造時や使用時の方向を限定するものではない。
【００３２】
本実施の形態のデスクシステム１０００は、図１ないし図１２に示すように、システムデスク本体２０００と、機器装着クランプ３０００と、を有する。システムデスク本体２０００は、図９ないし図１２に示すように、天板支持立脚２１００，２２００と、立脚連結ビーム２３００と、デスク天板部材２４００と、を有する。
【００３３】
天板支持立脚２１００，２２００は、図９ないし図１１に示すように、左右両端に使用される天板支持立脚２１００と、中間部分に使用される天板支持立脚２２００の二種類からなり、床面に立設される。
【００３４】
左右一対の天板支持立脚２１００は、前後一対の上下方向に細長形状の支持立脚部分２１１０と、これら前後一対の支持立脚部分２１１０を上端で連結している前後方向に細長形状の天板支持部分２１２０と、を有する。
【００３５】
中間部分の天板支持立脚２２００は、上下方向に細長形状の一本の支持立脚部分２２１０と、この支持立脚部分２２１０の上端に連結されている前後方向に細長形状の天板支持部分２２２０と、を有する。
【００３６】
立脚連結ビーム２３００は、左右方向に細長形状に形成されており、複数の天板支持立脚２１００，２２００の上端近傍を連結している。より具体的には、立脚連結ビーム２３００は、前後方向に離反した一対で、複数の天板支持立脚２１００，２２００の天板支持部分２１２０，２２２０の中央部分に連結される。
【００３７】
このとき、立脚連結ビーム２３００は、その連結ビーム上面２３０１が天板支持部分２１２０，２２２０の支持部分上面２１２１，２２２１より下方に位置する配置で天板支持立脚２１００，２２００に連結される。
【００３８】
デスク天板部材２４００は、平板状に形成されており、上述のように立脚連結ビーム２３００で連結された天板支持立脚２１００，２２００の支持部分上面２１２１，２２２１で支持されている。
【００３９】
本実施の形態のシステムデスク本体２０００では、図１０に示すように、左右一対の天板支持立脚２１００と中央一個の天板支持立脚２２００とが、前後一対かつ左右一対の立脚連結ビーム２３００により連結されている。
【００４０】
そこで、デスク天板部材２４００は、図１１および図１２に示すように、前後左右に配列された四枚が、立脚連結ビーム２３００で連結された天板支持立脚２１００，２２００の支持部分上面２１２１，２２２１で支持されている。
【００４１】
このとき、デスク天板部材２４００は、前後方向に離反して配置されるため、四枚のデスク天板部材２４００からなるシステムデスク天板１４００には、左右方向に連通するスリット状の間隙ＧＡが前後方向の中央に形成される。
【００４２】
また、前述のように立脚連結ビーム２３００の連結ビーム上面２３０１は天板支持部分２１２０，２２２０の支持部分上面２１２１，２２２１より下方に位置するため、図１ないし図４に示すように、立脚連結ビーム２３００がデスク天板部材２４００の間隙ＧＡと対向する天板外周縁部の下方に離反した位置する。
【００４３】
そして、機器装着クランプ３０００は、図１に示すように、立脚連結ビーム２３００の連結ビーム下面２３０３および連結ビーム上面２３０１、デスク天板部材２４００の天板部材下面２４０３および天板部材上面２４０１、を各々圧接することで、システムデスク本体２０００に着脱自在に装着される。
【００４４】
より具体的には、本実施の形態の機器装着クランプ３０００は、クランプ上板部分３１００と、クランプ側板部分３２００と、クランプ下板部分３３００と、クランプスペーサ部材３４００と、クランプ圧接部材であるイモネジ３５００と、ネジ受けディスク３６００と、クランプアーム部材３７００と、を有する。
【００４５】
クランプ上板部分３１００とクランプ側板部分３２００とクランプ下板部分３３００とは、図１ないし図８に示すように、一枚の金属板を曲折させることで連続的に形成されている。クランプ上板部分３１００は、デスク天板部材２４００の天板部材上面２４０１に配置される平板状に形成されている。
【００４６】
クランプ下板部分３３００は、立脚連結ビーム２３００の連結ビーム下面２３０３より下方に位置する水平な平板状に形成されている。クランプ側板部分３２００は、デスク天板部材２４００と立脚連結ビーム２３００との側面に対応したクランク状に曲折されており、クランプ上板部分３１００とクランプ下板部分３３００とを連結している。
【００４７】
クランプスペーサ部材３４００も、クランプ側板部分３２００にスライド自在に支持されており、デスク天板部材２４００の天板部材下面２４０３と立脚連結ビーム２３００の連結ビーム上面２３０１との間隙に出没自在に嵌合する。
【００４８】
このため、図５ないし図８に示すように、クランプスペーサ部材３４００は、コ字状の平面形状に曲折された一枚の金属板からなり、その両端はストッパとして外側に曲折されている。
【００４９】
そして、クランプ側板部分３２００には縦長の貫通孔３２１０が前後一対に形成されており、これら貫通孔３２１０の各々にクランプスペーサ部材３４００の両端が各々挿通されることにより、クランプスペーサ部材３４００がクランプ側板部分３２００にスライド自在に支持されている。
【００５０】
イモネジ３５００は、クランプ下板部分３３００の左右一対のネジ穴３３１０に個々に螺合されている左右一対からなり、回転により立脚連結ビーム２３００の連結ビーム下面２３０３を圧接する。
【００５１】
ネジ受けディスク３６００は、イモネジ３５００と連結ビーム下面２３０３との間に配置される。このため、イモネジ３５００の上端は台形の断面形状に形成されており、ネジ受けディスク３６００の下面には断面形状が台形の凹部が形成されている。クランプアーム部材３７００は、クランプ上板部分３１００に立設されたポールからなり、デスクスタンドなどのデスク周辺機器（図示せず）が着脱自在に装着される。
【００５２】
上述のような構成において、本実施の形態のデスクシステム１０００では、図９および図１０に示すように、所望により左右両側の天板支持立脚２１００が立脚連結ビーム２３００により左右中央の天板支持立脚２２００と連結される。
【００５３】
そして、図１１に示すように、上述のように連結された天板支持立脚２１００，２２００の支持部分上面２１２１，２２２１に、四枚のデスク天板部材２４００が前後左右に配列されて装着される。
【００５４】
このように形成されたシステムデスク本体２０００は、図１２に示すように、四枚のデスク天板部材２４００からなる一枚のシステムデスク天板１４００の前後方向の中央に、左右方向に連通するスリット状の間隙ＧＡが形成される。
【００５５】
この間隙ＧＡの両側に位置するデスク天板部材２４００の前後縁部の下方には、立脚連結ビーム２３００が離反した位置している。このため、例えば、デスク周辺機器の配線を支持する配線支持トレー（図示せず）などのオプション部品を、立脚連結ビーム２３００に懸架させるようなことができる。
【００５６】
さらに、図１２および図１に示すように、このシステムデスク本体２０００のシステムデスク天板１４００の間隙ＧＡの部分に、機器装着クランプ３０００を着脱自在に装着することができる。
【００５７】
その場合、図２および図６に示すように、クランプスペーサ部材３４００が図中後退するとともにイモネジ３５００が下方に位置した状態で、図３および図７に示すように、機器装着クランプ３０００がシステムデスク本体２０００の間隙ＧＡに配置される。
【００５８】
このとき、機器装着クランプ３０００のクランプ上板部分３１００がデスク天板部材２４００の天板部材上面２４０１に配置され、クランプ側板部分３２００の前面がデスク天板部材２４００と立脚連結ビーム２３００との後面に当接することになる。
【００５９】
このような状態で、クランプ下板部分３３００は立脚連結ビーム２３００の連結ビーム下面２３０３より下方に位置するので、この連結ビーム下面２３０３から上方に突出しているイモネジ３５００の上端にネジ受けディスク３６００が設置される。
【００６０】
このような状態で、図８に示すように、機器装着クランプ３０００のクランプスペーサ部材３４００が前方にスライド移動され、図４に示すように、デスク天板部材２４００の天板部材下面２４０３と立脚連結ビーム２３００の連結ビーム上面２３０１との間隙に挿入される。
【００６１】
このような状態で、アーレンキーなどの工具（図示せず）でイモネジ３５００を回転させて上方に変位させることにより、機器装着クランプ３０００が、立脚連結ビーム２３００の連結ビーム下面２３０３および連結ビーム上面２３０１、デスク天板部材２４００の天板部材下面２４０３および天板部材上面２４０１、を各々圧接する。
【００６２】
このため、図１に示すように、システムデスク本体２０００のデスク天板部材２４００の天板部材下面２４０３と立脚連結ビーム２３００の連結ビーム上面２３０１とが離反している構造でも、機器装着クランプ３０００の圧力によりデスク天板部材２４００や立脚連結ビーム２３００が湾曲することがなく、機器装着クランプ３０００をシステムデスク本体２０００の間隙ＧＡの部分に良好に装着することができる。
【００６３】
特に、本実施の形態のデスクシステム１０００では、離反しているデスク天板部材２４００と立脚連結ビーム２３００との間隙にクランプスペーサ部材３４００が嵌合する。このため、離反しているデスク天板部材２４００や立脚連結ビーム２３００の湾曲などにより機器装着クランプ３０００の装着が阻害されることを確実に防止できる。
【００６４】
しかも、本実施の形態のデスクシステム１０００では、クランプ上板部分３１００を天板部材上面２４０１より上方に配置するとともに、クランプ下板部分３３００を連結ビーム下面２３０３より下方に配置した状態で、デスク天板部材２４００と立脚連結ビーム２３００との間隙にクランプスペーサ部材３４００が出没する。
【００６５】
このため、機器装着クランプ３０００をデスクシステム１０００の所定位置に配置した状態で、別体のクランプスペーサ部材（図示せず）をデスク天板部材２４００と立脚連結ビーム２３００との間隙に挿入する煩雑な作業が必要ない。
【００６６】
特に、クランプ上板部分３１００とクランプ下板部分３３００とを連結しているクランプ側板部分３２００に、クランプスペーサ部材３４００がスライド自在に支持されている。
【００６７】
このため、クランプ上板部分３１００を天板部材上面２４０１より上方に配置するとともに、クランプ下板部分３３００を連結ビーム下面２３０３より下方に配置した状態で、クランプ側板部分３２００に支持されているクランプスペーサ部材３４００をスライドさせるだけで、デスク天板部材２４００と立脚連結ビーム２３００との間隙に挿入することができる。
【００６８】
しかも、本実施の形態の機器装着クランプ３０００では、上述のように機器装着クランプ３０００が、立脚連結ビーム２３００の連結ビーム下面２３０３および連結ビーム上面２３０１、デスク天板部材２４００の天板部材下面２４０３および天板部材上面２４０１、を各々圧接する。
【００６９】
このため、デスク天板部材２４００の天板部材下面２４０３および天板部材上面２４０１だけを圧接する、従来の機器装着クランプ（図示せず）と比較して、その装着の保持力が良好である。
【００７０】
また、本実施の形態の機器装着クランプ３０００では、回転により圧力を発生するイモネジ３５００と、立脚連結ビーム２３００の連結ビーム下面２３０３との間隙に、ネジ受けディスク３６００が挿入される。このため、回転されるイモネジ３５００のために立脚連結ビーム２３００の連結ビーム下面２３０３が損傷することを防止できる。
【００７１】
なお、本発明は本実施の形態に限定されるものではなく、その要旨を逸脱しない範囲で各種の変形を許容する。例えば、上記形態では左右一対の天板支持立脚２１００と左右中央の天板支持立脚２２００とで、前後一対のデスク天板部材２４００が左右方向に二枚支持されているデスクシステム１０００を例示した。
【００７２】
しかし、中央の天板支持立脚２２００と前後一対のデスク天板部材２４００とを増設することにより、左右方向に長大なデスクシステム（図示せず）を形成することもできる。一方、図１３に示すように、中央の天板支持立脚２２００を使用することなく左右一対の天板支持立脚２１００のみで、前後一対のデスク天板部材２４００のみが支持されているデスクシステム１０００を形成することもできる。
【００７３】
さらに、上記形態では前後一対のデスク天板部材２４００の間隙ＧＡの前後縁部の下方に前後一対の立脚連結部材２３００が位置しており、その間隙ＧＡの位置に機器装着クランプ３０００が装着されることを例示した。しかし、デスク天板部材２４００の外周縁部の下方に立脚連結部材２３００が位置しており、その位置に機器装着クランプ３０００を装着してもよい（図示せず）。
【００７４】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【符号の説明】
【００７５】
１０００  デスクシステム
１４００  システムデスク天板
２０００  システムデスク本体
２１００，２２００  天板支持立脚
２１２１，２２２１  支持部分上面
２３００  立脚連結ビーム
２３０１  連結ビーム上面
２３０３  連結ビーム下面
２４００  デスク天板部材
２４０１  天板部材上面
２４０３  天板部材下面
３０００  機器装着クランプ
３１００  クランプ上板部分
３２００  クランプ側板部分
３３００  クランプ下板部分
３４００  クランプスペーサ部材
３５００  クランプ圧接部材であるイモネジ
３７００  クランプアーム部材
ＧＡ  間隙
【図１】
0005948135.tif 000002
【図２】
0005948135.tif 000003
【図３】
0005948135.tif 000004
【図４】
0005948135.tif 000005
【図５】
0005948135.tif 000006
【図６】
0005948135.tif 000007
【図７】
0005948135.tif 000008
【図８】
0005948135.tif 000009
【図９】
0005948135.tif 000010
【図１０】
0005948135.tif 000011
【図１１】
0005948135.tif 000012
【図１２】
0005948135.tif 000013
【図１３】
0005948135.tif 000014